(57)【要約】  複数のユーザ端末の存在下でウェイクアップ信号（ＷＵＳ：Wake-up signal）を好適に導入可能なユーザ端末、無線基地局、及び、無線通信方法を提供する。ユーザ端末は、ウェイクアップ信号を受信する受信部と、ウェイクアップ信号に関連付けられた識別子を検出し、検出した識別子に基づき、ウェイクアップ信号に関連付けられた制御信号の受信を制御する制御部と、を備える。ウェイクアップ信号の数は、端末グループに関する数よりも少ない。
2020065887.tif 000002
【特許請求の範囲】
【請求項１】
ウェイクアップ信号を受信する受信部と、
前記ウェイクアップ信号に関連付けられた識別子を検出し、検出した前記識別子に基づき、前記ウェイクアップ信号に関連付けられた制御信号の受信を制御する制御部と、
を備え、
前記ウェイクアップ信号の数は、端末グループに関する数よりも少ない、
ユーザ端末。
【請求項２】
前記ウェイクアップ信号の数は、１である、
請求項１に記載のユーザ端末。
【請求項３】
第１の前記識別子に関連付けられた端末グループは、第２の前記識別子に関連付けられた端末グループに含まれる、
請求項１に記載のユーザ端末。
【請求項４】
前記制御部は、２以上の前記ウェイクアップ信号のそれぞれに関連付けられた前記識別子を検出し、検出した前記２以上の識別子の組み合わせに基づき、前記制御信号の受信を制御する、
請求項１に記載のユーザ端末。
【請求項５】
前記２以上の識別子の組み合わせは、前記ウェイクアップ信号を検出したこと、または、前記ウェイクアップ信号を検出しなかったことを含む組み合わせである、
請求項４に記載のユーザ端末。
【請求項６】
ウェイクアップ信号を送信する送信部と、
前記ウェイクアップ信号に識別子を関連付ける制御部と、
を備え、
前記ウェイクアップ信号の数は、端末グループに関する数よりも少ない、
無線基地局。
【請求項７】
ウェイクアップ信号を受信し、
前記ウェイクアップ信号に関連付けられた識別子を検出し、
検出した前記識別子に基づき、前記ウェイクアップ信号に関連付けられた制御信号の受信を制御し、
前記ウェイクアップ信号の数は、端末グループに関する数よりも少ない、
無線通信方法。
【発明の詳細な説明】
【技術分野】
【０００１】
本開示は、ユーザ端末、無線基地局、及び、無線通信方法に関する。
【背景技術】
【０００２】
Universal Mobile Telecommunication System（ＵＭＴＳ）ネットワークにおいて、更なる高速データレート、低遅延などを目的としてロングタームエボリューション（Long Term Evolution（ＬＴＥ））が仕様化された。また、ＬＴＥからの更なる広帯域化および高速化を目的として、ＬＴＥの後継システムも検討されている。ＬＴＥの後継システムには、例えば、LTE-Advanced（ＬＴＥ−Ａ）、Future Radio Access（ＦＲＡ）、5th generation mobile communication system（５Ｇ）、5G plus（５Ｇ＋）、Radio Access Technology（Ｎｅｗ−ＲＡＴ）、New Radio（ＮＲ）などと呼ばれるシステムがある。【０００３】
３ＧＰＰ（Third Generation Partnership Project）において、ユーザ端末（ＵＥ：User Equipment）の電力消費を抑制する技術検討が進められている。【０００４】
例えば、リリース１５（Ｒｅｌ．１５）では、ウェイクアップ信号（ＷＵＳ（Wake-up signal））が導入されている（例えば、非特許文献１）。
【先行技術文献】
【非特許文献】
【０００５】
【非特許文献１】3GPP TS 36.304, “User Equipment (UE) procedures in idle mode (Release 15)”, June 2018
【発明の概要】
【発明が解決しようとする課題】
【０００６】
しかしながら、より多くのユーザ端末を想定した場合、ＷＵＳの導入には更なる検討の余地がある。【０００７】
本開示の目的は、より多くのユーザ端末を想定した場合、ＷＵＳを好適に導入可能なユーザ端末、無線基地局、及び、無線通信方法を提供することにある。
【課題を解決するための手段】
【０００８】
本開示の一態様に係るユーザ端末は、ウェイクアップ信号を受信する受信部と、前記ウェイクアップ信号に関連付けられた識別子を検出し、検出した前記識別子に基づき、前記ウェイクアップ信号に関連付けられた制御信号の受信を制御する制御部と、を備え、前記ウェイクアップ信号の数は、端末グループに関する数よりも少ない。【０００９】
本開示の一態様に係る無線基地局は、ウェイクアップ信号を送信する送信部と、前記ウェイクアップ信号に識別子を関連付ける制御部と、を備え、前記ウェイクアップ信号の数は、端末グループに関する数よりも少ない。【００１０】
本開示の一態様に係る無線通信方法は、ウェイクアップ信号を受信し、前記ウェイクアップ信号に関連付けられた識別子を検出し、検出した前記識別子に基づき、前記ウェイクアップ信号に関連付けられた制御信号の受信を制御し、前記ウェイクアップ信号の数は、端末グループに関する数よりも少ない。
【発明の効果】
【００１１】
本開示によれば、より多くのユーザ端末を想定した場合に、ＷＵＳを好適に導入できる。
【図面の簡単な説明】
【００１２】
【図１】Ｒｅｌ．１５におけるＷＵＳの第１の例を示す図である。
【図２】Ｒｅｌ．１５におけるＷＵＳの第２の例を示す図である。
【図３】ＵＥグループ毎に設定されたＷＵＳの第１の例を示す図である。
【図４】ＵＥグループ毎に設定されたＷＵＳの第２の例を示す図である。
【図５】一実施の形態に係る無線基地局の構成の一例を示すブロック図である。
【図６】一実施の形態に係るユーザ端末の構成の一例を示すブロック図である。
【図７】一実施の形態におけるＵＥグループと、ＷＵＳ  ＩＤとの関連付けの第１の例を示す図である。
【図８】一実施の形態におけるＵＥグループと、ＷＵＳ  ＩＤとの関連付けの第２の例を示す図である。
【図９】一実施の形態におけるＵＥグループと、ＷＵＳ  ＩＤとの関連付けの第３の例を示す図である。
【図１０】一実施の形態におけるＷＵＳとＷＵＳ  ＩＤの関連付けの第１の例を示す図である。
【図１１】一実施の形態におけるＷＵＳとＷＵＳ  ＩＤの関連付けの第２の例を示す図である。
【図１２】一実施の形態におけるＷＵＳとＷＵＳ  ＩＤの関連付けの第３の例を示す図である。
【図１３】一実施の形態におけるＷＵＳとＷＵＳ  ＩＤの関連付けの第４の例を示す図である。
【図１４】本開示に係る無線基地局及びユーザ端末のハードウェア構成の例を示す図である。
【発明を実施するための形態】
【００１３】
以下、本開示の実施の形態を、図面を参照して説明する。
【００１４】
（一実施の形態）
本実施の形態は、ＵＥの電力消費を抑えるための一手法であるウェイクアップ信号（Wake-Up signal：以下、「ＷＵＳ」と記載することがある）に関する。はじめに、ＷＵＳに関する背景を説明する。
【００１５】
５Ｇの標準化仕様策定において、リリース１５（Ｒｅｌ．１５）では、ＩｏＴ向けのＵＥの電力消費を抑えるために、ＷＵＳが導入されている。
【００１６】
なお、ＩｏＴ向けのＵＥは、ＮＢ−ＩｏＴ（Narrowband IoT）、または、ｅＭＴＣ（enhanced Machine Type Communication）向けのＵＥと称されてもよい。また、本開示におけるＵＥは、ＩｏＴ向けのＵＥに限定されない。例えば、本開示におけるＵＥは、ＮＲ向けのＵＥであってもよい。
【００１７】
図１は、Ｒｅｌ．１５におけるＷＵＳの第１の例を示す図である。図２は、Ｒｅｌ．１５におけるＷＵＳの第２の例を示す図である。
【００１８】
図１および図２の横軸は、時間を示し、縦軸は周波数を示す。図１および図２では、ＷＵＳと、ＷＵＳよりも後のタイミングに設定されるページングＰＤＣＣＨ（Paging Physical Downlink Control Channel）およびページングメッセージ（Paging message）とが示される。なお、ページングＰＤＣＣＨとページングメッセージとは、制御信号、ページング信号またはページング機会（Paging Occasion）と称されることがある。以下、ページング機会は、「ＰＯ」と略記されることがある。
【００１９】
図１では、リピティション無しのＰＯが設定され、１回のＰＯが存在する場合の例が示される。図２では、リピティション有りのＰＯが設定され、ＰＯが繰り返される場合の例が示される。
【００２０】
なお、図１および図２に示す、ページングＰＤＣＣＨとページングメッセージとのサイズは、一例であり、本開示はこれに限定されない。また、以降に示す図における、ページングＰＤＣＣＨとページングメッセージとのサイズも、図１および図２と同様に、一例であり、本開示はこれに限定されない。
【００２１】
図１および図２に示すＷＵＳおよびＰＯは、例えば、無線基地局が、待機モード（Idle mode）のユーザ端末に対して、「Ｗａｋｅ−ｕｐ」の指示を行う場合に送信する信号である。なお、待機モードのユーザ端末は、ＷＵＳの検出処理と、ＷＵＳの検出結果に応じたＰＯのモニタリンク処理とに基づいて、待機モードから、例えば、接続モード（Connected mode）へ移行する。
【００２２】
なお、待機モードとは、例えば、ユーザ端末が間欠的に無線基地局からの信号（下りリンク信号）を受信可能な状態であるモードを示す。接続モードとは、例えば、ユーザ端末が下りリンク信号を受信可能であり、かつ、ユーザ端末が無線基地局への信号（上りリンク信号）を送信可能な状態であるモードを示す。
【００２３】
本実施の形態における「待機モード」および「接続モード」という呼称は、ユーザ端末のモードの呼称の一例であり、本開示はこれに限定されない。また、ＷＵＳおよびＰＯが「Ｗａｋｅ−ｕｐ」の指示の一例であると説明したが、「Ｗａｋｅ−ｕｐ」という呼称は一例であり、本開示はこれに限定されない。
【００２４】
ユーザ端末は、ＷＵＳを検出した場合、ユーザ端末に関連付けられたＰＯをモニタする。また、ユーザ端末は、ＷＵＳを検出しない場合、ＰＯをモニタしなくてよい。ＰＯのモニタは、例えば、ページングＰＤＣＣＨの検出処理、および、ページングＰＤＣＣＨの検出結果に基づくページングメッセージの受信処理に相当する。ユーザ端末は、ＰＯをモニタすることによって、待機モードから、例えば、接続モードへ移行する。
【００２５】
図１および図２に示した、Ｒｅｌ．１５におけるＷＵＳでは、無線基地局のエリア内に存在するユーザ端末のうち、例えば、ＰＯに関連付けられた全てのユーザ端末がＷＵＳを検出することによって、接続モードへ移行する。この場合、接続モードへ移行しなくてもよい待機モードのユーザ端末が、接続モードへ移行してしまうため、ユーザ端末の電力消費が増加する可能性がある。
【００２６】
５Ｇの標準化仕様策定における議論の中で、リリース１６（Ｒｅｌ．１６）の段階において、ユーザ端末の電力消費を抑えるために、１つ以上のグループ（集合）がユーザ端末に対して設定され、グループ毎に関連付けたＷＵＳを設定することが検討されている。グループ毎にＷＵＳを設定する場合、無線基地局は、グループ毎に「Ｗａｋｅ−ｕｐ」の指示を行ってもよい。
【００２７】
なお、ユーザ端末に対して設定されるグループは、「ＵＥグループ（UE group）」と記載することがある。また、複数のＵＥグループを区別して説明する場合に、ＵＥグループにインデックスを付し、ＵＥグループ＃１（UE group#1）、ＵＥグループ＃２（UE group#2）およびＵＥグループ＃３（UE group#3）等と記載することがある。ＵＥグループに付されたインデックスは、ＵＥグループを識別する識別子に相当する、と捉えてもよい。ＵＥグループを識別する識別子は、「ＵＥグループＩＤ」と記載することがある。各ＵＥグループには、ＵＥグループＩＤが関連付けられている、と称されてもよい。
【００２８】
なお、ＵＥグループの決定方法、および、各ユーザ端末とＵＥグループとを関連付ける方法については、限定されない。また、ＵＥグループに含まれるユーザ端末の数は、１以上であればよい。また、ユーザ端末の属するＵＥグループを示す情報を、ユーザ端末へ通知する方法についても、限定されない。
【００２９】
また、「ＵＥグループ」および「ＵＥグループＩＤ」という呼称は、一例であり、本開示は、これに限定されない。ユーザ端末に対して設定されるグループは、例えば、「ユーザグループ」、「ＵＥセット」、「ユーザセット」等と称されてもよいし、他の呼称であってもよい。
【００３０】
図３は、ＵＥグループ毎に設定されたＷＵＳの第１の例を示す図である。図４は、ＵＥグループ毎に設定されたＷＵＳの第２の例を示す図である。
【００３１】
図３および図４の横軸は、時間を示し、縦軸は周波数を示す。図３および図４には、３つのＵＥグループそれぞれに設定されたＷＵＳのタイミングと、ＷＵＳよりも後のタイミングに存在するＰＯとが示される。また、図３および図４には、ＵＥグループ＃１に関連付けられたＷＵＳ（ＷＵＳ＃１）、ＵＥグループ＃２に関連付けられたＷＵＳ（ＷＵＳ＃２）、および、ＵＥグループ＃３に関連付けられたＷＵＳ（ＷＵＳ＃３）の送信タイミングが示される。
【００３２】
図３には、３つのＷＵＳが、同一のタイミング（例えば、同一のシンボル）において符号分割多重（ＣＤＭ：Code Division Multiplexing）される例が示される。また、図４には、３つのＷＵＳが、時分割多重（ＴＤＭ：Time Division Multiplexing）される例が示される。
【００３３】
例えば、ユーザ端末は、ＷＵＳを検出した場合、ユーザ端末の属するＵＥグループに関連付けられたＷＵＳか否かを決定する。そして、ユーザ端末は、検出したＷＵＳがユーザ端末の属するＵＥグループに関連付けられる場合、ＰＯをモニタする。
【００３４】
例えば、ユーザ端末がＷＵＳ＃３を検出した場合、ユーザ端末はＷＵＳ＃３がＵＥグループ＃３に関連付けられていると決定する。そして、ＵＥグループ＃３に属するユーザ端末は、ＰＯをモニタする。ＵＥグループ＃３に属さないユーザ端末は、ＰＯをモニタしなくてもよい。なお、ユーザ端末が属するＵＥグループを示す識別情報は、例えば、無線基地局からユーザ端末に予め通知されてよい。
【００３５】
ＵＥグループ毎にＷＵＳが設定されることによって、例えば、待機モードから接続モードに移行しなくてもよいユーザ端末が、接続モードへ移行することを避けられるため、ユーザ端末の電力消費を抑えることができる。
【００３６】
ここで、上述のようなＷＵＳを導入する場合には、例えば、ＷＵＳの設定に関して更なる改善が検討される。例えば、図３の例では、３つのＷＵＳが同一のタイミングにおいてＣＤＭを用いて多重されるため、送信電力が各ＷＵＳに分配されることによって、各ＷＵＳの送信電力が低下してしまう。各ＷＵＳの送信電力の低下は、通信エリアの縮小につながってしまう。また、図４の例では、３つのＷＵＳがＴＤＭを用いて多重されるため、ＷＵＳの検出において時間のオーバヘッドが増加してしまう。
【００３７】
そこで、本開示では、ＵＥグループ毎にＷＵＳを設定する場合に、ＷＵＳの送信電力の低下および／または時間のオーバヘッドの増加を抑制し、好適なＷＵＳを設定する方法を説明する。
【００３８】
なお、ＷＵＳには、互いに異なるＷＵＳを識別する識別子が関連付けられてよい。例えば、ＷＵＳの識別子は、「ＷＵＳ  ＩＤ」と記載されることがある。例えば、ＷＵＳ＃ｉ（ｉは１以上の整数）は、ＷＵＳ  ＩＤが「ｉ」のＷＵＳに相当する。別言すれば、ＷＵＳ＃ｉは、ＷＵＳ  ＩＤ＃ｉを有するＷＵＳに相当する。
【００３９】
なお、ＵＥグループＩＤとＷＵＳ  ＩＤとは、１対１で関連付けられてよい。ＵＥグループＩＤとＷＵＳ  ＩＤとが１対１で関連付けられる場合、ＵＥグループ＃ｉに関連付けられるＷＵＳは、ＷＵＳ＃ｉと記載されることがある。
【００４０】
また、「ＷＵＳ  ＩＤ」という呼称は、一例であり、本開示はこれに限定されない。
【００４１】
次に、本実施の形態に係る無線通信システムについて説明する。
【００４２】
本実施の形態に係る無線通信システムは、図５に示す無線基地局１０（例えば、ｅＮＢ（ｅＮｏｄｅＢ）またはｇＮＢ（ｇＮｏｄｅＢ）とも呼ばれる）、及び、図６に示すユーザ端末２０（例えば、ＵＥとも呼ばれる）を備える。ユーザ端末２０は、無線基地局１０と無線接続（無線アクセス）される。なお、以下では、無線基地局１０は、基地局１０と略記されることがある。
【００４３】
なお、以下に説明する無線基地局１０およびユーザ端末２０の構成は、本実施の形態に関連する機能の一例を示すものである。無線基地局１０およびユーザ端末２０には、図示しない機能を有してもよい。また、本実施の形態に係る動作を実行する機能であれば、機能区分、および／または、機能部の名称は限定されない。
【００４４】
図５は、本実施の形態に係る無線基地局１０の構成の一例を示すブロック図である。無線基地局１０は、送信部１０１と、受信部１０２と、制御部１０３と、を含む。
【００４５】
送信部１０１は、上位レイヤの信号から、物理レイヤの各種信号を生成し、生成した信号（下りリンク信号）をユーザ端末２０へ送信する処理を行う。例えば、送信部１０１は、制御部１０３の制御により、下りリンク信号を送信する。下りリンク信号には、例えば、ＷＵＳ、ページングＰＤＣＣＨにマッピングされた信号、および、ページングメッセージが含まれてよい。
【００４６】
受信部１０２は、ユーザ端末２０から信号（上りリンク信号）を受信し、受信した物理レイヤの上りリンク信号から、上位レイヤの信号を取得する処理を行う。
【００４７】
制御部１０３は、送信部１０１における送信処理の制御、および、受信部１０２における受信処理の制御を行う。例えば、制御部１０３は、送信部１０１における、ＷＵＳ、ページングＰＤＣＣＨの信号、および、ページングメッセージの送信処理を制御する。例えば、制御部１０３は、ＷＵＳ、ページングＰＤＣＣＨの信号、および、ページングメッセージの送信が実行されるように送信部１０１を制御する。
【００４８】
図６は、本実施の形態に係るユーザ端末２０の構成の一例を示すブロック図である。ユーザ端末２０は、送信部２０１と、受信部２０２と、制御部２０３と、を含む。
【００４９】
送信部２０１は、上位レイヤの信号から、物理レイヤの各種信号を生成し、生成した上りリンク信号を無線基地局１０へ送信する処理を行う。
【００５０】
受信部２０２は、無線基地局１０から下りリンク信号を受信し、受信した物理レイヤの下りリンク信号から、上位レイヤの信号を取得する処理を行う。例えば、受信部２０２は、制御部２０３の制御により、下りリンク信号を受信する。
【００５１】
制御部２０３は、送信部２０１における送信処理の制御、および、受信部２０２における受信処理の制御を行う。例えば、制御部２０３は、ＷＵＳの検出処理を行い、ＷＵＳの検出処理の結果に基づいて、受信部２０２におけるＰＯのモニタリング処理を制御する。また、制御部２０３は、ＰＯのモニタリング処理の結果に基づいて、ユーザ端末２０における送受信状態を、待機モードから、例えば、接続モードへ移行する制御を行う。
【００５２】
なお、ユーザ端末２０における、ＷＵＳの検出処理については後述する。
【００５３】
次に、本実施の形態におけるＷＵＳの設定について説明する。
【００５４】
図３および図４に示したように、ＵＥグループ毎にＷＵＳが設定される場合、複数のＷＵＳが送信されることが想定される。本実施の形態では、ＵＥグループ毎にＷＵＳが設定される場合に、ＷＵＳの数を制限するという条件を設ける。例えば、無線基地局１０から送信可能なＷＵＳの候補の数が制限されてもよいし、無線基地局１０から送信されるＷＵＳの数が制限されてもよい。
【００５５】
無線基地局１０から送信可能なＷＵＳの候補とは、無線基地局１０において準備されたＷＵＳの候補に対応してもよい。無線基地局１０から送信可能なＷＵＳの候補の数を制限するということは、送信可能なＷＵＳの系列の候補の数を制限することに対応する。無線基地局１０から送信可能なＷＵＳの候補の数を制限するということは、ユーザ端末２０において受信可能なＷＵＳの候補の数が制限されることに相当する、と捉えてもよい。
【００５６】
無線基地局１０から送信されるＷＵＳの数を制限するということは、送信されるＷＵＳの系列の数を制限することに対応する。無線基地局１０から送信されるＷＵＳの数を制限するということは、ユーザ端末２０において受信されるＷＵＳの数が制限されることに相当する、と捉えてもよい。なお、ユーザ端末２０は、無線基地局１０から送信されるＷＵＳを全て受信するとしてもよいし、一部を受信するとしてもよい。
【００５７】
条件を設ける範囲（例えば、時間）は、特に限定されない。例えば、本実施の形態において設ける条件は、同時に（同じタイミングで）送信されるＷＵＳの数を制限する、という条件であってもよい。また、本実施の形態において設ける条件は、所定時間内に送信されるＷＵＳの数を制限する、という条件であってもよい。また、本実施の形態において設ける条件は、１つまたは複数のＰＯと関連付けられるＷＵＳの数を制限する、という条件であってもよい。
【００５８】
制限するＷＵＳの数については、特に限定されないが、例えば、制限するＷＵＳの数は、ＵＥグループに関する数よりも少ない数であってよい。ＵＥグループに関する数は、ＵＥグループの数に基づいて規定された数であってよい。例えば、ＵＥグループに関する数は、無線基地局１０が指示を行うＵＥグループの数であってもよいし、無線基地局１０が指示を行うＵＥグループの数と、無線基地局１０が指示を行うＵＥグループの組み合わせの数との和であってもよい。
【００５９】
また、ＵＥグループに関する数は、ＵＥグループの数とＷＵＳの送受信に使用されるリソースとに基づいて規定されてもよい。例えば、ＵＥグループに関する数は、ＵＥグループの数と、ＷＵＳの送信に使用される送信電力（例えば、最大送信電力）とに基づいて規定されてもよい。あるいは、ＵＥグループに関する数は、ＵＥグループの数と、ＷＵＳの送受信に使用される時間リソースおよび／または周波数リソースとに基づいて規定されてもよい。なお、制限するＷＵＳの数は、上述したＷＵＳの送受信に使用されるリソースに基づいて規定されてもよい。
【００６０】
また、例えば、ＷＵＳの数は、１つに制限してもよい。以下、ＷＵＳを１つに制限する第１の例を説明する。
【００６１】
例えば、ＣＤＭを用いてＷＵＳを多重する場合に、送信されるＷＵＳの数を制限することによって、同一のタイミングにおいてＣＤＭを用いて多重されるＷＵＳの数を減らせるため、ＷＵＳの送信電力の低下を抑制できる。第１の例では、送信されるＷＵＳの数を１つに制限することによって、同一のタイミングにおいてＣＤＭを用いて多重されるＷＵＳの数を１つにできるため、ＷＵＳの送信電力の低下を抑制できる。
【００６２】
例えば、ＴＤＭを用いてＷＵＳを多重する場合に、送信されるＷＵＳの数を制限することによって、ＴＤＭを用いて多重されるＷＵＳの数を減らせるため、ＷＵＳの検出における時間のオーバヘッドの増加を抑制できる。第１の例では、ＰＯよりも前に送信されるＷＵＳの数を１つに制限することによって、ＷＵＳが１つのタイミングにおいて送信されるため、ＷＵＳの検出における時間のオーバヘッドの増加を抑制できる。
【００６３】
なお、ＷＵＳの数を制限する場合のＵＥグループＩＤとＷＵＳ  ＩＤとの対応関係は限定されない。例えば、ＵＥグループＩＤとＷＵＳ  ＩＤとは、１対１で対応してもよい。ＵＥグループＩＤとＷＵＳ  ＩＤとが１対１で対応する場合、無線基地局１０は、制限されたＷＵＳの数と同じ数のＵＥグループに対して、「Ｗａｋｅ−ｕｐ」の指示を行ってよい。第１の例のように、ＷＵＳの数を１つに制限する場合、無線基地局１０は、１つのＵＥグループに対して、「Ｗａｋｅ−ｕｐ」の指示を行ってよい。
【００６４】
あるいは、ＷＵＳ  ＩＤとＵＥグループＩＤとが１対複数で関連付けられてもよい。以下、ＷＵＳ  ＩＤとＵＥグループＩＤとが１対複数で関連付けられる例を説明する。
【００６５】
図７は、本実施の形態におけるＵＥグループと、ＷＵＳ  ＩＤとの関連付けの第１の例を示す図である。
【００６６】
図７において、例えば、ＵＥグループ＃１〜＃３に関連付けられるＷＵＳ  ＩＤは、それぞれ、「１」〜「３」である。また、ＵＥグループ＃１とＵＥグループ＃２との組み合わせに関連付けられるＷＵＳ  ＩＤは、「ＸＸ」である。また、ＵＥグループ＃１とＵＥグループ＃３との組み合わせに関連付けられるＷＵＳ  ＩＤは、「ＹＹ」である。また、全てのＵＥグループに関連付けられるＷＵＳ  ＩＤは、「ＺＺ」である。
【００６７】
例えば、ＵＥグループＩＤとＷＵＳ  ＩＤとの関連付けに、図７に示す例が適用され、かつ、無線基地局１０がＵＥグループ＃１のＵＥに「Ｗａｋｅ−Ｕｐ」の指示を行う場合、ＷＵＳ  ＩＤ＃１を関連付けたＷＵＳを送信してよい。また、例えば、無線基地局１０は、ＵＥグループ＃１とＵＥグループ＃２のＵＥに「Ｗａｋｅ−Ｕｐ」の指示を行う場合、ＷＵＳ  ＩＤ＃ＸＸを関連付けたＷＵＳを送信してよい。
【００６８】
なお、図７に示す例が適用される場合、ＵＥグループ＃１のＵＥは、ＷＵＳに関連付けられるＷＵＳ  ＩＤが、「１」、「ＸＸ」、「ＹＹ」、または、「ＺＺ」の場合に、ＰＯをモニタする。
【００６９】
図７に示すように、複数のＵＥグループＩＤに対して１つのＷＵＳ  ＩＤが関連付けられることによって、無線基地局１０は、複数のＵＥグループのＵＥに「Ｗａｋｅ−Ｕｐ」の指示を行う場合に、ＷＵＳの数を減らすことができる。そのため、例えば、ＷＵＳの数に制限が設けられる場合であっても、複数のＵＥグループのＵＥに「Ｗａｋｅ−Ｕｐ」の指示を行うことができる。
【００７０】
なお、図７の例では、１つのＷＵＳ  ＩＤが、１以上のＵＥグループＩＤに関連付けられる例を示した。次に、２つのＷＵＳそれぞれに関連付けられたＷＵＳ  ＩＤの組み合わせが、１以上のＵＥグループに関連付けられる例を説明する。
【００７１】
図８は、本実施の形態におけるＵＥグループと、ＷＵＳ  ＩＤとの関連付けの第２の例を示す図である。
【００７２】
図８には、２つのＷＵＳ  ＩＤ（ＷＵＳ  ＩＤ（１）およびＷＵＳ  ＩＤ（２））と、ＵＥグループＩＤの組み合わせと、の関連付けの例が示される。なお、ＷＵＳ  ＩＤ（１）に関連付けられたＷＵＳと、ＷＵＳ  ＩＤ（２）に関連付けられたＷＵＳとは、ＴＤＭ、ＦＤＭ、および、ＣＤＭのいずれかを用いて多重される。
【００７３】
なお、例えば、ＷＵＳ  ＩＤ（１）に関連付けられたＷＵＳは、第１のＷＵＳ（first WUS）と称されてよい。また、ＷＵＳ  ＩＤ（２）に関連付けられたＷＵＳは、第２のＷＵＳ（second WUS）と称されてよい。
【００７４】
図８において、例えば、ＵＥグループ＃１に関連付けられるＷＵＳ  ＩＤ（１）およびＷＵＳ  ＩＤ（２）は、それぞれ、「１」および「１」である。また、例えば、ＵＥグループ＃１とＵＥグループ＃２との組み合わせに関連付けられるＷＵＳ  ＩＤ（１）およびＷＵＳ  ＩＤ（２）は、それぞれ、「ＸＸ」および「ＸＸ」である。なお、以下の説明において、例えば、ＷＵＳ  ＩＤ（１）＃ｉ（ｉは、例えば、１以上の整数）は、ＷＵＳ  ＩＤ（１）が「ｉ」であることを示し、ＷＵＳ  ＩＤ（２）＃ｉは、ＷＵＳ  ＩＤ（２）が「ｉ」であることを示す。
【００７５】
例えば、図８に示す例が適用され、かつ、無線基地局１０がＵＥグループ＃１のＵＥに「Ｗａｋｅ−Ｕｐ」の指示を行う場合、ＷＵＳ  ＩＤ（１）＃１を関連付けた第１のＷＵＳと、ＷＵＳ  ＩＤ（２）＃１を関連付けた第２のＷＵＳを送信してよい。また、例えば、無線基地局１０は、ＵＥグループ＃１とＵＥグループ＃２のＵＥに「Ｗａｋｅ−Ｕｐ」の指示を行う場合、ＷＵＳ  ＩＤ（１）＃ＸＸを関連付けた第１のＷＵＳと、ＷＵＳ  ＩＤ（２）＃ＸＸを関連付けた第２のＷＵＳを送信してよい。
【００７６】
図８に示すように、ＷＵＳ  ＩＤの組み合わせが、１以上のＵＥグループと関連付けられることによって、無線基地局１０は、複数のＵＥグループのＵＥに「Ｗａｋｅ−Ｕｐ」の指示を行う場合に、ＷＵＳの数を減らすことができる。また、ＷＵＳ  ＩＤの数を削減することができるため、ＷＵＳの検出処理に係る負荷を抑えることができる。
【００７７】
例えば、ＷＵＳ  ＩＤと関連付けられるＵＥグループの組み合わせが９パターンの場合を例に挙げて説明する。１つのＷＵＳ  ＩＤと９パターンのＵＥグループの組み合わせとを関連付ける場合、少なくとも９個のＷＵＳ  ＩＤが用いられる。一方で、２つのＷＵＳ  ＩＤの組み合わせと９パターンのＵＥグループの組み合わせとを関連付ける場合、少なくとも３個のＷＵＳ  ＩＤが用いられるため、ＷＵＳ  ＩＤの数を削減することができる。
【００７８】
なお、図８には、２つのＷＵＳ  ＩＤの組み合わせの例を説明したが、本開示はこれに限定されない。例えば、３つ以上のＷＵＳ  ＩＤの組み合わせと、ＵＥグループの組み合わせとが関連付けられてもよい。
【００７９】
また、上述したＷＵＳ  ＩＤの組み合わせの中に、ＷＵＳが「ＯＦＦ」の場合が含まれてもよい。ＷＵＳが「ＯＦＦ」の場合とは、ＷＵＳが検出されない場合を示す。なお、ＷＵＳが検出されない場合とは、ＷＵＳが送信されない場合を含む。
【００８０】
図９は、本実施の形態におけるＵＥグループと、ＷＵＳ  ＩＤとの関連付けの第３の例を示す図である。
【００８１】
図９には、２つのＷＵＳ  ＩＤ（ＷＵＳ  ＩＤ（１）およびＷＵＳ  ＩＤ（２））と、ＵＥグループＩＤの組み合わせと、の関連付けの例が示される。
【００８２】
図９において、例えば、ＵＥグループ＃１に関連付けられるＷＵＳ  ＩＤ（１）とＷＵＳ  ＩＤ（２）は、それぞれ、「１」および「ＯＦＦ」である。ここで、ＷＵＳ  ＩＤ（２）が、「ＯＦＦ」であることは、第２のＷＵＳが検出されないことに相当する、と捉えてもよい。
【００８３】
また、例えば、ＵＥグループ＃１とＵＥグループ＃２との組み合わせに関連付けられるＷＵＳ  ＩＤ（１）とＷＵＳ  ＩＤ（２）は、それぞれ、「ＯＦＦ」および「１」である。ここで、ＷＵＳ  ＩＤ（１）が、「ＯＦＦ」であることは、第１のＷＵＳが検出されないことに相当する、と捉えてもよい。
【００８４】
例えば、図９に示す例が適用され、かつ、無線基地局１０がＵＥグループ＃１のＵＥに「Ｗａｋｅ−Ｕｐ」の指示を行う場合、第２のＷＵＳを送信せず、ＷＵＳ  ＩＤ（１）＃１を関連付けた第１のＷＵＳを送信してよい。また、例えば、無線基地局１０は、ＵＥグループ＃１とＵＥグループ＃２のＵＥに「Ｗａｋｅ−Ｕｐ」の指示を行う場合、第１のＷＵＳを送信せず、ＷＵＳ  ＩＤ（２）＃１を関連付けた第２のＷＵＳを送信してよい。
【００８５】
図９に示したように、上述したＷＵＳ  ＩＤの組み合わせの中に、ＷＵＳが「ＯＦＦ」の場合が含まれることによって、ＷＵＳ  ＩＤの数を削減できるため、ＷＵＳの検出処理に係る負荷を抑えることができる。
【００８６】
なお、図９では、ＷＵＳ  ＩＤ（１）とＷＵＳ  ＩＤ（２）との両方において、「ＯＦＦ」が含まれる例を示したが、ＷＵＳ  ＩＤ（１）とＷＵＳ  ＩＤ（２）とのいずれか一方において、「ＯＦＦ」が含まれ、他方には「ＯＦＦ」が含まれなくてもよい。
【００８７】
あるいは、ＷＵＳ  ＩＤ（１）とＷＵＳ  ＩＤ（２）との少なくとも一方が、「ＯＦＦ」または「ＯＮ」を示してもよい。別言すれば、ＷＵＳ  ＩＤ（１）とＷＵＳ  ＩＤ（２）との少なくとも一方が、ＷＵＳの検出の有無を示してよい。
【００８８】
例えば、ＷＵＳ  ＩＤ（１）が「ＯＦＦ」または「ＯＮ」を示す場合、第１のＷＵＳにはＷＵＳ  ＩＤが関連付けられない。この場合、ユーザ端末２０は、第１のＷＵＳの有無を検出し、第１のＷＵＳに関連付けられるＷＵＳ  ＩＤを識別しなくてよいため、ユーザ端末２０における検出処理の負荷を削減できる。
【００８９】
例えば、ＷＵＳ  ＩＤ（１）が「ＯＦＦ」または「ＯＮ」を示し、ＷＵＳ  ＩＤ（２）が「１」〜「Ｎ」のいずれかを示す場合、ＷＵＳ  ＩＤ（１）とＷＵＳ  ＩＤ（２）との組み合わせによって、２×Ｎのパターンを示すことができる。
【００９０】
上述したように、２つのＷＵＳ  ＩＤの組み合わせは、ＷＵＳを検出したことを示すＷＵＳ  ＩＤ（例えば、「ＯＮ」）、または、ＷＵＳを検出しなかったことを示すＷＵＳ  ＩＤ（例えば、「ＯＦＦ」）を含む組み合わせであってもよい。なお、３つ以上のＷＵＳ  ＩＤの組み合わせにおいても、ＷＵＳを検出したことを示すＷＵＳ  ＩＤ（例えば、「ＯＮ」）、または、ＷＵＳを検出しなかったことを示すＷＵＳ  ＩＤ（例えば、「ＯＦＦ」）が含まれてもよい。
【００９１】
なお、上述したように、ＷＵＳは、ＷＵＳ  ＩＤと関連付けられ、ＵＥでは、ＷＵＳからＷＵＳ  ＩＤを検出する検出処理が行われる。以下では、ＷＵＳとＷＵＳ  ＩＤとの関連付けの例を説明する。なお、ＷＵＳとＷＵＳ  ＩＤとの関連付けの方法については、以下に説明する例に限定されない。
【００９２】
図１０は、本実施の形態におけるＷＵＳとＷＵＳ  ＩＤの関連付けの第１の例を示す図である。
【００９３】
図１０には、ＷＵＳの生成の基準となる基準系列と、基準系列に基づいて生成されるＷＵＳ＃１〜＃３とが示される。図１０の横軸は、時間を示し、縦軸は周波数を示す。なお、基準系列という呼称は、一例であり、本開示はこれに限定されない。例えば、基準系列は、基準信号、基本信号、または、基本系列などと称されてもよい。基準系列は、例えば、ユーザ端末２０において既知であってもよいし、無線基地局１０から通知されてもよい。
【００９４】
そして、基準系列とＷＵＳとにおいて、周波数方向において区切られた１つの矩形は、例えば、１つのリソースエレメント（ＲＥ：Resource Element）を示す。１つのＲＥの周波数方向の幅は、１サブキャリアに相当し、時間方向の幅は、１シンボルに相当する。図１０において、ＷＵＳは、例えば、１２サブキャリアの周波数方向の幅を有する。なお、ＷＵＳのサブキャリア数は、１２サブキャリアに限定されず、１１サブキャリア以下であってもよいし、１３サブキャリア以上であってもよい。
【００９５】
図１０において、ＷＵＳに含まれる各ＲＥの表示態様は、ＷＵＳに用いられた系列の要素の一例を示す。例えば、同一の表示態様は、ＷＵＳに用いられた系列の要素が同一であることを示す。図１０に示すＷＵＳ＃１〜＃３は、基準系列と同一の系列が用いられている。
【００９６】
そして、ＷＵＳ＃１〜＃３のそれぞれに関連付けられるＷＵＳ  ＩＤは、基準系列とＷＵＳとの間の位相差によって示される。なお、基準系列は、位相差の基準を示す系列である。
【００９７】
例えば、図１０のＷＵＳ＃１は、基準系列に対して、θ１の位相差を有し、ＷＵＳ＃２は、基準系列に対して、θ２の位相差を有し、ＷＵＳ＃３は、基準系列に対して、θ３の位相差を有する。θ１、θ２およびθ３は、互いに異なっている。
【００９８】
図１０の例の場合、ユーザ端末２０は、ＷＵＳを受信し、例えば、基準系列とＷＵＳとの比較処理（例えば、相互相関処理）を行い、基準系列とＷＵＳの間の位相差を推定する。ユーザ端末２０は、推定した位相差がユーザ端末２０の属するＵＥグループに関連付けられるＷＵＳ  ＩＤの位相差である場合、受信したＷＵＳがユーザ端末２０の属するＵＥグループに関連付けられていると決定する。ユーザ端末２０は、受信したＷＵＳがユーザ端末２０の属するＵＥグループに関連付けられている場合、ＰＯのモニタを行う。
【００９９】
この方法では、異なるＷＵＳ  ＩＤが関連付けられるＷＵＳに同一の系列が用いられるため、検出処理を簡易にできる。そのため、ロバストで簡易なＷＵＳの検出処理を行うことができる。
【０１００】
なお、位相差の基準となる系列（別言すれば、基準系列との位相差がゼロのＷＵＳ）に対して、ＷＵＳ  ＩＤが関連付けられてよい。
【０１０１】
また、図１０の例を適用したＷＵＳが複数送信される場合、ユーザ端末２０は、受信したＷＵＳの少なくとも１つを用いてチャネル推定を行い、チャネル推定結果に基づいて、位相差の推定を行ってもよい。あるいは、図１０の例を適用したＷＵＳが複数送信される場合、ユーザ端末２０は、受信したＷＵＳの少なくとも２つを用いて相互相関を行い、相互相関の結果に基づいて、位相差の推定を行ってもよい。あるいは、ユーザ端末２０は、チャネル推定と相互相関との算出を行い、両方の結果に基づいて、位相差の推定を行ってもよい。
【０１０２】
図１１は、本実施の形態におけるＷＵＳとＷＵＳ  ＩＤの関連付けの第２の例を示す図である。
【０１０３】
図１１には、図１０と同様に、ＷＵＳの生成の基準となる基準系列と、基準系列に基づいて生成されるＷＵＳ＃１〜＃３とが示される。図１１の横軸は、時間を示し、縦軸は周波数を示す。
【０１０４】
そして、基準系列とＷＵＳとにおいて、周波数方向にて区切られた１つの矩形は、図１０と同様に、例えば、１つのＲＥを示す。
【０１０５】
図１１において、基準系列とＷＵＳに含まれる各ＲＥの表示態様は、ＷＵＳに用いられた系列の要素の一例を示す。例えば、同一の表示態様は、ＷＵＳに用いられた系列の要素が同一であることを示す。図１１に示すＷＵＳ＃１〜＃３とは、基準系列と同一の系列が用いられている。
【０１０６】
そして、ＷＵＳ＃１〜＃３のそれぞれに関連付けられるＷＵＳ  ＩＤは、基準系列とＷＵＳとの間の周波数方向におけるシフト量（サブキャリアのシフト量）によって示される。
【０１０７】
例えば、図１１のＷＵＳ＃１は、基準系列を１サブキャリア分シフトしたＷＵＳである。ＷＵＳ＃２は、基準系列を２サブキャリア分シフトしたＷＵＳである。ＷＵＳ＃３は、基準系列を３サブキャリア分シフトしたＷＵＳである。なお、図１１では、１サブキャリアずつシフトする例を示すが、シフトする量は２サブキャリア以上であってもよい。
【０１０８】
図１１の例の場合、ユーザ端末２０は、ＷＵＳを受信し、基準系列とＷＵＳとの間のサブキャリアのシフト量を推定する。ユーザ端末２０は、推定したシフト量がユーザ端末２０の属するＵＥグループに関連付けられるＷＵＳ  ＩＤのシフト量である場合、受信したＷＵＳがユーザ端末２０の属するＵＥグループに関連付けられていると判定する。ユーザ端末２０は、受信したＷＵＳがユーザ端末２０の属するＵＥグループに関連付けられている場合、ＰＯのモニタを行う。
【０１０９】
この方法では、異なるＷＵＳ  ＩＤが関連付けられるＷＵＳに同一の系列が用いられるため、検出処理を簡易にできる。そのため、ロバストで簡易なＷＵＳの検出処理を行うことができる。
【０１１０】
なお、サブキャリアのシフトの基準となる系列（別言すれば、シフト量がゼロのＷＵＳ）に対して、ＷＵＳ  ＩＤが関連付けられてよい。
【０１１１】
また、図１１の例を適用したＷＵＳが複数送信される場合、ユーザ端末２０は、受信したＷＵＳの少なくとも１つを用いてチャネル推定を行い、チャネル推定結果に基づいて、シフト量の推定を行ってもよい。
【０１１２】
なお、上述では、ＷＵＳ  ＩＤが、基準系列とＷＵＳとの間の位相差によって示される例と、基準系列とＷＵＳとの間の周波数方向におけるシフト量（サブキャリアのシフト量）によって示される例とを示したが、本開示はこれらに限定されない。例えば、ＷＵＳ  ＩＤが、基準系列とＷＵＳとの間の位相差、および、基準系列とＷＵＳとの間の周波数方向におけるシフト量の組み合わせによって示されてもよい。
【０１１３】
なお、ＷＵＳ  ＩＤが位相差とシフト量との組み合わせによって示される場合、ユーザ端末２０は、上述した検出処理を組み合わせることによって、ＷＵＳに関連付けられたＷＵＳ  ＩＤを推定してもよい。
【０１１４】
また、図１０および図１１では、ＷＵＳが、互いに同一のサイズ（同数のＲＥ）を有する例を示したが、ＷＵＳは、互いに異なるサイズ（異なる数のＲＥ）を有してもよい。例えば、ＷＵＳは、基準系列の一部を用いて構成されてよい。
【０１１５】
例えば、ＷＵＳ毎にＲＥの数を変えてもよい。ＷＵＳ毎にＲＥの数を変えることは、ＷＵＳ毎に使用するＲＥの数を変えることに相当してもよい。例えば、ＷＵＳ  ＩＤと、使用するＲＥの数とが関連付けられてもよい。この場合、ＷＵＳ  ＩＤが、使用するＲＥの数によって示されてもよい。
【０１１６】
また、図１０および図１１では、ＷＵＳ＃１〜＃３のＲＥの位置が、互いに同一である例を示したが、本開示はこれに限定されない。例えば、ＷＵＳ毎に、使用するＲＥの位置を変えてもよい。例えば、ＷＵＳ  ＩＤと、使用するＲＥの位置とが関連付けられてもよい。この場合、ＷＵＳ  ＩＤが、使用するＲＥの位置によって示されてもよい。
【０１１７】
あるいは、ＷＵＳ毎にＲＥの位置および数の少なくとも一方を変えることによって、ＷＵＳ  ＩＤが、ＲＥの位置および数の組み合わせによって示されてもよい。
【０１１８】
また、図１０および図１１では、ＷＵＳ＃１〜＃３が、周波数方向に連続するＲＥによって構成される例を示したが、本開示はこれに限定されない。ＷＵＳは、離散的に位置するＲＥによって構成されてもよい。例えば、ＷＵＳ毎に、ＲＥの位置を変えてもよい。例えば、ＷＵＳ  ＩＤと、離散的なＲＥの位置のパターンとが関連付けられることにより、ＷＵＳ  ＩＤが、当該パターンの違いによって示されてもよい。
【０１１９】
以下では、ＷＵＳ  ＩＤと、ＷＵＳが使用するＲＥの位置のパターンとの関連付けの例を説明する。
【０１２０】
図１２は、本実施の形態におけるＷＵＳとＷＵＳ  ＩＤの関連付けの第３の例を示す図である。図１３は、本実施の形態におけるＷＵＳとＷＵＳ  ＩＤの関連付けの第４の例を示す図である。
【０１２１】
図１２および図１３には、図１０と同様に、ＷＵＳの生成の基準となる基準系列と、基準系列に基づいて生成されるＷＵＳ＃１〜＃３とが示される。図１２および図１３の横軸は、時間を示し、縦軸は周波数を示す。
【０１２２】
そして、基準系列とＷＵＳとにおいて、周波数方向で区切られた１つの矩形は、図１０と同様に、例えば、１つのＲＥを示す。
【０１２３】
図１２および図１３において、基準系列とＷＵＳに含まれる各ＲＥの表示態様は、ＷＵＳに用いられた系列の要素の一例を示す。例えば、同一の表示態様は、ＷＵＳに用いられた系列の要素が同一であることを示す。図１２および図１３に示すＷＵＳは、同一の系列が用いられている。
【０１２４】
そして、ＷＵＳ＃１〜＃３のそれぞれに関連付けられるＷＵＳ  ＩＤは、周波数方向におけるＷＵＳのＲＥの配置によって示される。
【０１２５】
例えば、図１２のＷＵＳ＃１は、基準系列の低周波数側の部分に相当する。ＷＵＳ＃３は、基準系列の高周波数側の部分に相当する。ＷＵＳ＃２は、ＷＵＳ＃１とＷＵＳ＃２との間の周波数の部分に相当する。
【０１２６】
例えば、図１３のＷＵＳ＃１〜＃３は、互いに異なるサブキャリアのＲＥを含む。図１３のＷＵＳ＃１〜＃３は、それぞれ、周波数方向において、くし状（Comb）に並ぶＲＥを含む。
【０１２７】
図１２および図１３の例の場合、ユーザ端末２０は、ＷＵＳを受信し、ＷＵＳの周波数方向の配置を推定する。そして、ユーザ端末２０は、推定した配置がユーザ端末２０の属するＵＥグループに関連付けられるＷＵＳ  ＩＤの配置である場合、受信したＷＵＳがユーザ端末２０の属するＵＥグループに関連付けられていると決定する。ユーザ端末２０は、受信したＷＵＳがユーザ端末２０の属するＵＥグループに関連付けられている場合、ＰＯのモニタを行う。
【０１２８】
ＷＵＳの周波数方向の配置の推定において、例えば、基準系列と受信したＷＵＳとの相互相関が用いられてよい。
【０１２９】
図１２および図１３の例では、異なるＷＵＳ  ＩＤが関連付けられるＷＵＳに同一の系列が用いられるため、検出処理を簡易にできる。そのため、ロバストで簡易なＷＵＳの検出処理を行うことができる。
【０１３０】
なお、図１２および／または図１３の例を適用したＷＵＳが複数送信される場合、ユーザ端末２０は、受信したＷＵＳの少なくとも１つを用いてチャネル推定を行い、チャネル推定結果に基づいて、周波数方向の配置の推定を行ってもよい。あるいは、図１２および／または図１３の例を適用したＷＵＳが複数送信される場合、ユーザ端末２０は、受信したＷＵＳの少なくとも２つを用いて相互相関を行い、相互相関の結果に基づいて、周波数方向の配置の推定を行ってもよい。あるいは、ユーザ端末２０は、チャネル推定と相互相関の算出を行い、両方の結果に基づいて、周波数方向の配置の推定を行ってもよい。
【０１３１】
以上、本開示の実施の形態について説明した。
【０１３２】
＜ハードウェア構成＞
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１３３】
機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【０１３４】
例えば、本開示の一実施の形態における基地局、ユーザ端末などは、本開示の無線通信方法の処理を行うコンピュータとして機能してもよい。図１４は、本開示の一実施の形態に係る基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１３５】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１３６】
無線基地局１０及びユーザ端末２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【０１３７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１０３および制御部２０３などは、プロセッサ１００１によって実現されてもよい。
【０１３８】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、無線基地局１０の制御部１０３および／またはユーザ端末２０の制御部２０３は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【０１３９】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【０１４０】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【０１４１】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送信部１０１、受信部１０２、送信部２０１および受信部２０２などは、通信装置１００４によって実現されてもよい。
【０１４２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０１４３】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１４４】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【０１４５】
（情報の通知、シグナリング）
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【０１４６】
（適用システム）
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【０１４７】
（処理手順等）
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０１４８】
（基地局の動作）
本開示において基地局によって行われるとした特定動作は、場合によってはその上位ノード（upper  node）によって行われることもある。基地局を有する１つ又は複数のネットワークノード（network  nodes）からなるネットワークにおいて、端末との通信のために行われる様々な動作は、基地局及び基地局以外の他のネットワークノード（例えば、ＭＭＥ又はＳ−ＧＷなどが考えられるが、これらに限られない）の少なくとも１つによって行われ得ることは明らかである。上記において基地局以外の他のネットワークノードが１つである場合を例示したが、複数の他のネットワークノードの組み合わせ（例えば、ＭＭＥ及びＳ−ＧＷ）であってもよい。
【０１４９】
（入出力の方向）
情報等（※「情報、信号」の項目参照）は、上位レイヤ（又は下位レイヤ）から下位レイヤ（又は上位レイヤ）へ出力され得る。複数のネットワークノードを介して入出力されてもよい。
【０１５０】
（入出力された情報等の扱い）
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【０１５１】
（判定方法）
判定は、１ビットで表される値（０か１か）によって行われてもよいし、真偽値（Boolean：true又はfalse）によって行われてもよいし、数値の比較（例えば、所定の値との比較）によって行われてもよい。
【０１５２】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１５３】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０１５４】
（情報、信号）
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１５５】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Component  Carrier）は、キャリア周波数、セル、周波数キャリアなどと呼ばれてもよい。
【０１５６】
（「システム」、「ネットワーク」）
本開示において使用する「システム」及び「ネットワーク」という用語は、互換的に使用される。
【０１５７】
（パラメータ、チャネルの名称）
また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【０１５８】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【０１５９】
（基地局（無線基地局））
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０１６０】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０１６１】
（端末）
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０１６２】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【０１６３】
（基地局／移動局）
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０１６４】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」及び「下り」などの文言は、端末間通信に対応する文言（例えば、「サイド（side）」）で読み替えられてもよい。例えば、上りチャネル、下りチャネルなどは、サイドチャネルで読み替えられてもよい。
【０１６５】
同様に、本開示におけるユーザ端末は、基地局で読み替えてもよい。この場合、上述のユーザ端末２０が有する機能を基地局１０が有する構成としてもよい。
【０１６６】
（用語の意味、解釈）
本開示で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking  up、search、inquiry)（例えば、テーブル、データベース又は別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。また、「判断（決定）」は、「想定する（assuming）」、「期待する（expecting）」、「みなす（considering）」などで読み替えられてもよい。
【０１６７】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【０１６８】
参照信号は、ＲＳ（Reference  Signal）と略称することもでき、適用される標準によってパイロット（Pilot）と呼ばれてもよい。
【０１６９】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１７０】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素への参照は、２つの要素のみが採用され得ること、又は何らかの形で第１の要素が第２の要素に先行しなければならないことを意味しない。
【０１７１】
上記の各装置の構成における「手段」を、「部」、「回路」、「デバイス」等に置き換えてもよい。
【０１７２】
本開示において、「含む（include）」、「含んでいる（including）」及びそれらの変形が使用されている場合、これらの用語は、用語「備える（comprising）」と同様に、包括的であることが意図される。さらに、本開示において使用されている用語「又は（or）」は、排他的論理和ではないことが意図される。
【０１７３】
無線フレームは時間領域において１つ又は複数のフレームによって構成されてもよい。時間領域において１つ又は複数の各フレームはサブフレームと呼ばれてもよい。サブフレームは更に時間領域において１つ又は複数のスロットによって構成されてもよい。サブフレームは、ニューメロロジー（numerology）に依存しない固定の時間長（例えば、１ｍｓ）であってもよい。
【０１７４】
ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１７５】
スロットは、時間領域において１つ又は複数のシンボル（ＯＦＤＭ（Orthogonal  Frequency  Division  Multiplexing）シンボル、ＳＣ-ＦＤＭＡ（Single  Carrier  Frequency  Division  Multiple  Access）シンボル等）で構成されてもよい。スロットは、ニューメロロジーに基づく時間単位であってもよい。
【０１７６】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（又はＰＵＳＣＨ）マッピングタイプＡと呼ばれてもよい。ミニスロットを用いて送信されるＰＤＳＣＨ（又はＰＵＳＣＨ）は、ＰＤＳＣＨ（又はＰＵＳＣＨ）マッピングタイプＢと呼ばれてもよい。
【０１７７】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。
【０１７８】
例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１７９】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８０】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０１８１】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１８２】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０１８３】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１８４】
リソースブロック（ＲＢ）は、時間領域及び周波数領域のリソース割当単位であり、周波数領域において、１つ又は複数個の連続した副搬送波（subcarrier）を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０１８５】
また、ＲＢの時間領域は、１つ又は複数個のシンボルを含んでもよく、１スロット、１ミニスロット、１サブフレーム、又は１ＴＴＩの長さであってもよい。１ＴＴＩ、１サブフレームなどは、それぞれ１つ又は複数のリソースブロックで構成されてもよい。
【０１８６】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１８７】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１８８】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０１８９】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０１９０】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０１９１】
上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１９２】
本開示に記載の「最大送信電力」は、送信電力の最大値を意味してもよいし、公称最大送信電力(the  nominal  UE  maximum  transmit  power)を意味してもよいし、定格最大送信電力(the  rated  UE  maximum  transmit  power)を意味してもよい。
【０１９３】
本開示において、例えば、英語でのa,  an及びtheのように、翻訳により冠詞が追加された場合、本開示は、これらの冠詞の後に続く名詞が複数形であることを含んでもよい。
【０１９４】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１９５】
(態様のバリエーション等)
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０１９６】
以上、本開示について詳細に説明したが、当業者にとっては、本開示が本開示中に説明した実施形態に限定されるものではないということは明らかである。本開示は、請求の範囲の記載により定まる本開示の趣旨及び範囲を逸脱することなく修正及び変更態様として実施することができる。したがって、本開示の記載は、例示説明を目的とするものであり、本開示に対して何ら制限的な意味を有するものではない。
【０１９７】
本開示の一態様は、無線通信システムに有用である。
【符号の説明】
【０１９８】
１０  無線基地局
２０  ユーザ端末
１０１、２０１  送信部
１０２、２０２  受信部
１０３、２０３  制御部
【図１】
2020065887.tif 000003
【図２】
2020065887.tif 000004
【図３】
2020065887.tif 000005
【図４】
2020065887.tif 000006
【図５】
2020065887.tif 000007
【図６】
2020065887.tif 000008
【図７】
2020065887.tif 000009
【図８】
2020065887.tif 000010
【図９】
2020065887.tif 000011
【図１０】
2020065887.tif 000012
【図１１】
2020065887.tif 000013
【図１２】
2020065887.tif 000014
【図１３】
2020065887.tif 000015
【図１４】
2020065887.tif 000016
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
端末グループが対応付けられるWake Up Signal（ＷＵＳ）リソース毎に、対応付けられる前記端末グループの数に基づいて決定される１つのＷＵＳ系列を受信する受信部と、
受信した前記ＷＵＳ系列に基づいてPaging Occasionをモニタする制御部と、
を備えた端末。
【請求項２】
前記制御部は、前記ＷＵＳリソースにおける前記ＷＵＳ系列の設定に応じた受信制御を行う、
請求項１に記載の端末。
【請求項３】
前記受信部は、前記ＷＵＳリソースの設定に関する情報を受信し、
前記制御部は、前記情報に基づいて、前記ＷＵＳリソースが使用されるか否かを判断する、
請求項１に記載の端末。
【請求項４】
前記ＷＵＳ系列は、前記ＷＵＳ系列が送信される前記ＷＵＳリソースに基づいて決定される、
請求項１に記載の端末。
【請求項５】
端末グループが対応付けられるWake Up Signal（ＷＵＳ）リソース毎に、対応付けられる前記端末グループの数に基づいて決定される１つのＷＵＳ系列を受信し、
受信した前記ＷＵＳ系列に基づいてPaging Occasionをモニタする、
無線通信方法。
【請求項６】
端末グループが対応付けられるWake Up Signal（ＷＵＳ）リソース毎に、対応付けられる前記端末グループの数に基づいて決定される１つのＷＵＳ系列を受信する受信部と、
受信した前記ＷＵＳ系列に基づいてPaging Occasionをモニタする制御部と、
を備えた端末と、
前記ＷＵＳリソースにおいて、前記ＷＵＳ系列を送信し、前記ＷＵＳ系列に基づいてPaging Occasionの信号を送信する送信部を、
備えた基地局と、
を有する無線通信システム。
【手続補正３】
【補正対象書類名】明細書
【補正対象項目名】０００１
【補正方法】変更
【補正の内容】
【０００１】
本開示は、端末、無線通信方法及び無線通信システムに関する。
【手続補正４】
【補正対象書類名】明細書
【補正対象項目名】０００７
【補正方法】変更
【補正の内容】
【０００７】
本開示の目的は、より多くのユーザ端末を想定した場合、ＷＵＳを好適に導入可能な端末、無線通信方法及び無線通信システムを提供することにある。
【国際調査報告】
2020065887.tif 000017
2020065887.tif 000018
2020065887.tif 000019
2020065887.tif 000020